(57)【要約】【課題】特にひじ当てとして良好に使用することができるクッションを提供する。【解決手段】開口１Ｋを有する袋状体１と、袋状体１の内部に開口１Ｋを通して詰め込まれる詰め物とから構成され、袋状体１は、開口１Ｋを通して詰め込まれた詰め物により膨出可能な本体部１１と、本体部１１の開口１Ｋから離間する端部に連なって形成され開口１Ｋを通して詰め込まれた詰め物によって膨出可能な補助部１２とを備え、補助部１２の厚みＤ１が本体部１１の厚みＤ２よりも厚くなっている。【選択図】  図１
0003176774.tif 000002
【実用新案登録請求の範囲】
【請求項１】
開口を有する袋状体と、該袋状体の内部に前記開口を通して詰め込まれる詰め物とから構成され、前記袋状体は、前記開口を通して詰め込まれた詰め物により膨出可能な本体部と、本体部の前記開口から離間する端部に連なって形成され前記開口を通して詰め込まれた詰め物によって膨出可能な補助部とを備え、前記補助部の厚みが前記本体部の厚みよりも厚くなっていることを特徴とするクッション。
【請求項２】
前記補助部は、左右一対の延出部を備えていることを特徴とする請求項１に記載のクッション。
【請求項３】
前記左右一対の延出部が互いに離間可能に構成されていることを特徴とする請求項２に記載のクッション。
【請求項４】
前記開口に、該開口を閉じる開閉自在なスライドファスナーを備えていることを特徴とする請求項１〜３のいずれか１項に記載のクッション。
【考案の詳細な説明】
【技術分野】
【０００１】
本考案は、特にひじ当てとして最適に使用できるクッションに関する。
【背景技術】
【０００２】
上記クッションは、基布と表皮とを重ね合わせ、表皮を膨らませた多数の膨らみ部の内部にパッド材を入れたクッション構造を有するものが既に提案されている（例えば、特許文献１参照）。
【先行技術文献】
【特許文献】
【０００３】
【特許文献１】実開昭６１−１３９６９９号公報
【考案の概要】
【考案が解決しようとする課題】
【０００４】
特許文献１のクッションは、どの膨らみ部も同一の膨らみ度合いにしているため、枕の使用には最適であるが、例えばひじ当てとして使用する際にひじを置いて支える際に、ひじを適した高さで支えることができず、使用面において不便であった。
【０００５】
そこで、本考案は、かかる事情に鑑みてなされたもので、特にひじ当てとして良好に使用することができるクッションを提供することを課題とする。
【課題を解決するための手段】
【０００６】
本考案に係るクッションは、開口を有する袋状体と、該袋状体の内部に前記開口を通して詰め込まれる詰め物とから構成され、前記袋状体は、前記開口を通して詰め込まれた詰め物により膨出可能な本体部と、本体部の前記開口から離間する端部に連なって形成され前記開口を通して詰め込まれた詰め物によって膨出可能な補助部とを備え、前記補助部の厚みが前記本体部の厚みよりも厚くなっていることを特徴としている。
【０００７】
本考案によれば、補助部の厚みが本体部の厚みよりも厚くなっていることから、ひじを支持する位置を本体部よりも補助部の方が高くなり、補助部をひじ当てとして最適に使用することができる。
【０００８】
また、本考案に係るクッションは、補助部が、左右一対の延出部を備えていてもよい。
【０００９】
かかる構成によれば、補助部が、左右一対の延出部を備えていることから、一方の延出部の厚みを他方の延出部の厚みよりも厚くすることができるだけでなく、ひじなどを支持する面積を増大することができる。
【００１０】
また、本考案に係るクッションは、前記左右一対の延出部が互いに離間可能に構成されていてもよい。
【００１１】
かかる構成によれば、顔面を下に向けてうつ伏せ状態で寝る際に、左右一対の延出部間に首や顎を置いて支えることができる。そして、左右一対の延出部を互いに離間させることによって、延出部間の距離を首や顎のサイズに応じて調整することができる。
【００１２】
また、本考案に係るクッションは、前記開口に、該開口を閉じる開閉自在なスライドファスナーを備えていてもよい。
【００１３】
かかる構成によれば、スライドファスナーを開放することによって、開口を迅速に開けて、詰め物を詰めることができる。詰め物の詰め込みが終了した後は、スライドファスナーを閉じるだけで詰め物が外部へ出てしまうことを直ちに阻止することができる。
【考案の効果】
【００１４】
以上の如く、本考案に係るクッションによれば、補助部の厚みが本体部の厚みよりも厚くなっていることで、ひじ当てとして良好に使用することができるクッションを提供することができる。
【図面の簡単な説明】
【００１５】
【図１】本考案の第１の実施形態のクッションを示し、（ａ）はそれの正面図、（ｂ）はそれの側面図、（ｃ）はそれの底面図を示す。
【図２】同クッションの製造過程を示し、（ａ）は一枚の布を二つ折りにして左右両端を縫い付けて閉じた状態を示し、（ｂ）はスライドファスナーの開口から２つの角部を引っ張り出す直前の状態を示し、（ｃ）は詰め物を袋状体に詰める直前の状態を示し、（ｄ）は完成したクッションを示す。
【図３】（ａ），（ｂ）はクッションの使用状態を示す。
【図４】本考案の第２の実施形態のクッションを示し（ａ）はそれの正面図、（ｂ）はそれの側面図を示す。
【図５】本考案の第３の実施形態のクッションを示し（ａ）はそれの正面図、（ｂ）はそれの側面図を示す。
【図６】本考案の第４の実施形態のクッションを示し（ａ）は分解された状態の正面図、（ｂ）は一体化した状態の正面図を示す。
【考案を実施するための形態】
【００１６】
以下、本考案に係る第１の実施形態のクッションについて、図面に基づいて説明する。
【００１７】
図１（ａ），（ｂ），（ｃ）に示すように、クッションＨは、内部に詰め物を充填することができるよう開口１Ｋ（図１（ｃ）では後述するスライドファスナー３により開口１Ｋが閉じられた状態になっている）が形成された袋状体１と、袋状体１の内部に詰め込まれる詰め物２（図２（ｄ）参照）とから構成されている。
【００１８】
袋状体１は、一枚の可撓性を有する柔らかい材料でなる布（合成樹脂や皮革などでもよい）からなり、開口１Ｋを通して詰め物２を内部へ詰め込むことで膨出可能な本体部１１と、本体部１１の開口１Ｋから離間する端部に連なって形成され開口１Ｋを通して詰め込まれた詰め物によって膨出可能な補助部１２とを備えている。
【００１９】
本体部１１は、正面視において横長状に構成され、左右両端が補助部１２側に位置するほど左右幅が幅狭となる形状になっている。また、図１（ｃ）の底面視における本体部１１は、長手方向中間部が長方形で長手方向両端が端部側ほど細くなる湾曲（円弧）形状に構成されている。
【００２０】
補助部１２は、本体部１１から左右に独立して延びる左右一対の延出部１２Ａ，１２Ｂを備えている。
【００２１】
各延出部１２Ａ又は１２Ｂは、図１（ａ）の正面視において本体部１１から離間する先端部側ほど細くなる略三角形（山型）状に構成され、左右一対の延出部１２Ａ，１２Ｂの相対向する内側は、隙間Ｓが形成されるよう左右一対の延出部１２Ａ，１２Ｂの間隔を設定している。そして、左右一対の延出部１２Ａ，１２Ｂの内側と本体部１１の左右方向中央部の延出部側端とで顎や首を位置決めすることができる凹部１Ｈを形成している。また、袋状体１が可撓性を有する柔らかい材料で構成されていることから、左右一対の延出部１２Ａ，１２Ｂが互いに離間可能になっており、左右一対の延出部１２Ａ，１２Ｂを離間することによって、隙間Ｓを大きくすることができる。
【００２２】
左右一対の延出部１２Ａ，１２Ｂの厚みが本体部１１の厚みよりも厚くなるように、図１（ｃ）に示すように、左右一対の延出部１２Ａ，１２Ｂの厚みＤ１を本体部１１の厚みＤ２よりも厚くしている。
【００２３】
開口１Ｋには、開口１Ｋを閉じる開閉自在なスライドファスナー３を備えている。このスライドファスナー３は、一対のテープ（基布）（図示せず）と、それらテープに互いに対向するように取り付けられた多数の歯からなる一対のエレメント（務歯部）１３，１３と、前記一対のエレメント１３，１３を噛み合わせる、又はその噛み合いを解除操作するためのスライダー（開閉部材）１４と、このスライダー１４に取り付けられた摘み部１５とからなっている。図１（ｃ）では、スライドファスナー３が露出している状態になっているが、本体部１１を構成する布の一部でスライドファスナー３を覆い隠すように実施してもよい。
【００２４】
詰め物２は、檜やヒバなどの木材を切り刻んだ木屑や所定の大きさのチップに加工したものの他、合成樹脂や紙の材料などを所定の大きさのチップに加工したものを、図２（ｄ）に示すように、５個の袋体４Ａ，４Ｂ，４Ｃ，４Ｄ，４Ｅに詰め込んで構成されている。それら袋体４Ａ，４Ｂ，４Ｃ，４Ｄ，４Ｅを袋状体１に詰め込んでクッションＨを構成している。具体的には、本体部１１に横長状の袋体４Ｅを詰め込み、各延出部１２Ａ又は１２Ｂの先端部に、三角形状の袋体４Ａ又は４Ｂを詰め込み、各延出部１２Ａ又は１２Ｂの基端部に、前記袋体４Ｅよりも短い（半分以下の寸法の）横長状の袋体４Ｃ，４Ｄを詰め込んでいる。尚、檜やヒバなどの木材を切り刻んだ木屑や所定の大きさのチップに加工したものを詰め物２として用いることによって、木の香りをクッションの外部に漂わせることができる利点がある。
【００２５】
袋体４Ａ〜４Ｅは、可撓性を有する綿などにより構成することができるが、布、発泡性合成樹脂でなるシートなどで構成することもできる。
【００２６】
次に、クッションＨを作製する過程を図２（ａ）〜（ｄ）に基づいて説明する。
【００２７】
まず、長方形状で一端に形成の開口を閉じるスライドファスナー３を備えた一枚の布５を二つ折りに重ねてから、長手方向両端５Ａ，５Ｂを縫い付けて両端の開口を綴じるとともに中心部を楕円形に縫い付けて布５の表裏を中心部５Ｃのみ一体化する（図１（ａ）参照）。次に、スライドファスナー３とは反対側の左右のコーナー部５Ｄ，５Ｅを図２（ｂ）に示すようにスライドファスナー３側の開口１Ｋから矢印方向へ引っ張り出す。すると、袋状体１が図２（ｃ）に示すような形状となる。続いて、スライドファスナー３の開口１Ｋから袋状体１内に５個の袋体４Ａ，４Ｂ，４Ｃ，４Ｄ，４Ｅ（図２（ｃ）では４Ａ，４Ｂのみ図示している）を詰め込んでスライドファスナー３の開口１Ｋを閉じることにより、クッションＨが完成する（図２（ｄ）参照）。
【００２８】
このように構成されたクッションＨを使用する形態を図３（ａ），（ｂ）に示している。図３（ａ）では、クッションＨを床面Ｆに置いてから、顔面を下に向けてうつ伏せ状態で寝る際に、クッションＨの左右一対の延出部１２Ａ，１２Ｂ間に顎（首でも良い）を置いて支えることができる。つまり、図１（ａ）に示す凹部１Ｈに顎を入り込ませて支持することになる。そして、左右一対の延出部１２Ａ，１２Ｂを互いに離間させることによって、延出部１２Ａ，１２Ｂ間の隙間Ｓ（図１（ａ）参照）を顎のサイズに応じて調整することができる。
【００２９】
図３（ｂ）では、クッションＨの延出部１２ＡにひじＪを置いて支持した状態を示している。このとき、延出部（補助部）１２Ａの厚みが本体部１１の厚みよりも厚くなっていることから、ひじＪを支持する位置を本体部１１よりも延出部（補助部）１２Ａの方が高くなり、延出部（補助部）１２Ａをひじ当てとして最適に使用することができる。図３（ｂ）ではひじＪを押し付けた重みで延出部（補助部）１２Ａが沈み込んでいるが、本体部１１では、この沈み込み量が更に大きくなり、延出部（補助部）１２Ａよりもひじを支持する位置が低くなる。この沈み込み量は詰め物２の材質や詰め込む量などによって変化する。また、補助部が、左右一対の延出部１２Ａ，１２Ｂを備えていることから、一方の延出部１２Ａの厚みを他方の延出部１２Ｂの厚みよりも厚くすることができる（ここでは同一厚みにしている）だけでなく、支持する面積を増大することができる。
【００３０】
また、クッションＨには、スライドファスナー３を開放することによって、開口１Ｋを迅速に開けて、詰め物２を詰めることができる。詰め物２の詰め込みが終了した後は、スライドファスナー３を閉じるだけで詰め物２が袋状体１の外部へ出てしまうことを直ちに阻止することができる。
【００３１】
図４（ａ），（ｂ）に、本考案の第２実施形態のクッションＨ１を示している。このクッションＨ１は、略長方形状の本体部１１と、本体部１１の左側部から延出する略三角形状の補助部（延出部）１２とを備えている。尚、補助部（延出部）１２の厚みが本体部１１の厚みよりも厚くなっている。
【００３２】
また、図５（ａ），（ｂ）に、本考案の第３実施形態のクッションＨ２を示している。このクッションＨ２は、先端側ほど先細りとなる略台形状の本体部１１と、本体部１１の先端に連なって一体形成された略三角形状の補助部（延出部）１２とを備えている。尚、補助部（延出部）１２の厚みが本体部１１の厚みよりも厚くなっている。
【００３３】
また、図６（ａ），（ｂ）に本考案の第４実施形態のクッションＨ３を示している。このクッションＨ３は、３つの部分１１Ａ，１１Ｂ，１１Ｃからなる本体部１１と、左右両端に位置する部分１１Ａ，１１Ｃから一体的に延びる左右一対の補助部（延出部）１２Ａ，１２Ｂとからなっている。本体部１１を構成する左右中央に位置する中間部分１１Ｂの左右両端及び左右両端に位置する左右部分１１Ａ，１１Ｃの中間部分側端に、縦長状の雄型の面ファスナーＭを備えている。そして、これら面ファスナーＭに係合又は係合解除自在な縦長状の雌型の面ファスナーを備えた２枚のシート部材Ｒ，Ｒを備えている。従って、２枚のシート部材Ｒ，Ｒの雌型の面ファスナー（図示せず）を、雄型の面ファスナーＭに係合させることによって、図６（ｂ）に示すように、３つの部分１１Ａ，１１Ｂ，１１Ｃを一体化することでクッションＨ３を構成している。前記面ファスナーは、３つの部分１１Ａ，１１Ｂ，１１Ｃを一体化する一体化手段を構成する他、スライドファスナーや紐などにより一体化手段を構成してもよい。
【００３４】
尚、本考案に係るクッションは、上記実施形態に限定されるものではなく、本考案の要旨を逸脱しない範囲で種々の変更が可能である。
【００３５】
前記実施形態では、本体部１１の形状を長方形状とし、延出部１２Ａ，１２Ｂの形状を三角形状としたが、本体部１１を円形状又は楕円形状の他、多角形状に構成し、延出部１２Ａ，１２Ｂを正方形状や長方形状の他、半円状や多角形状に構成してもよい。
【００３６】
また、前記実施形態では、ひじ当てとして最適に使用できるように構成したが、枕及び顎や首を支持するクッションとして最適に使用できるようにクッションを構成してもよい。
【００３７】
また、前記実施形態では、詰め物を詰めた袋体を袋状体に詰めるようにしたが、袋状体に多数の詰め物を直接詰める構成であってもよい。
【符号の説明】
【００３８】
１…袋状体、１Ｈ…凹部、１Ｋ…開口、２…詰め物、３…スライドファスナー、４Ａ，４Ｂ，４Ｃ，４Ｄ，４Ｅ…袋体、５…布、１１…本体部、１２…補助部、１２Ａ，１２Ｂ…延出部、１３…エレメント、１４…スライダー、１５…摘み部、Ｈ，Ｈ１，Ｈ２，Ｈ３…クッション、Ｍ…面ファスナー、Ｒ…シート部材、Ｓ…隙間
【図１】
0003176774.tif 000003
【図２】
0003176774.tif 000004
【図３】
0003176774.tif 000005
【図４】
0003176774.tif 000006
【図５】
0003176774.tif 000007
【図６】
0003176774.tif 000008